(57)【要約】【課題】調理性能を高め、キャビティの内部空間を効率よく使用するとともに、掃除性を向上させることができる電子レンジを提供する。【解決手段】食品が調理される空間を形成するキャビティ１２０と、キャビティ１２０の外側に設けられ、マイクロ波が発振されるマグネトロン１１０と、マグネトロン１１０とキャビティ１２０との間に設けられ、マグネトロン１１０から発振されたマイクロ波を、キャビティ１２０の内側に案内する導波管１３０と、キャビティ１２０と導波管１３０との間に設けられ、導波管１３０によって案内されるマイクロ波を、キャビティ１２０の内部に伝播させるアンテナ１４０と、アンテナ１４０を回転させると同時に直線往復運動させる駆動装置２００とを備える電子レンジである。【選択図】図３
2006278313.tif 000002
【特許請求の範囲】
【請求項１】
食品が調理される空間を形成するキャビティと、
前記キャビティの外側に設けられ、マイクロ波が発振されるマグネトロンと、
前記マグネトロンと前記キャビティとの間に設けられ、前記マグネトロンから発振されたマイクロ波を、前記キャビティの内側に案内する導波管と、
前記キャビティと前記導波管との間に設けられ、前記導波管によって案内されるマイクロ波を、前記キャビティの内部に伝播させるアンテナと、
前記アンテナを回転させると同時に直線往復運動させる駆動装置と、を備えることを特徴とする電子レンジ。
【請求項２】
前記駆動装置は、
正逆回転が可能なモータと、
前記アンテナのシャフトに連結され、前記モータの回転力を前記アンテナのシャフトに伝達するモータシャフトと、
前記モータシャフトに設けられ、前記モータシャフトが回転することによって回転するピニオンと、
前記導波管上に設けられ、前記ピニオンに対応するラックを有する案内部材と、を備えることを特徴とする請求項１に記載の電子レンジ。
【請求項３】
さらに、前記モータが固定され、前記案内部材と前記ピニオンとの間に摺動可能に設置され、前記ピニオンの回転及び直線往復運動を支持する摺動部材を備える請求項２に記載の電子レンジ。
【請求項４】
前記案内部材及び前記摺動部材には、
前記案内部材に前記摺動部材が支持されるとともに、前記摺動部材を摺動させる案内溝と案内突起が相互対応して設けられることを特徴とする請求項３に記載の電子レンジ。
【請求項５】
前記案内部材は、前記導波管の外側面に設けられることを特徴とする請求項２に記載の電子レンジ。
【請求項６】
前記アンテナのシャフトの下端部は、前記導波管の内側に位置されることを特徴とする請求項２に記載の電子レンジ。
【請求項７】
前記導波管の上下部面には、前記アンテナのシャフトと前記モータシャフトが貫通した状態で、直線往復運動が可能なようにそれぞれスロットが設けられることを特徴とする請求項２に記載の電子レンジ。
【請求項８】
前記モータは、回転を妨害するトルクが発生すると、回転方向が切り換わるシンクロモータであることを特徴とする請求項２に記載の電子レンジ。
【請求項９】
前記駆動装置は、
正逆回転が可能なモータと、
前記アンテナのシャフトに連結され、前記モータの回転力を前記アンテナのシャフトに伝達するモータシャフトと、
前記アンテナのシャフトに設けられ、前記アンテナのシャフトが回転することによって回転されるピニオンと、
前記導波管上に設けられ、前記ピニオンに対応するラックを有する案内部材と、を備えることを特徴とする請求項１に記載の電子レンジ。
【請求項１０】
さらに、前記モータが固定され、前記案内部材と前記ピニオンとの間に摺動可能に設置され、前記ピニオンの回転及び直線往復運動を支持する摺動部材を備える請求項９に記載の電子レンジ。
【請求項１１】
前記案内部材及び前記摺動部材には、
前記案内部材に前記摺動部材が支持されるとともに、前記摺動部材を摺動させる案内溝と案内突起が相互対応して設けられることを特徴とする請求項１０に記載の電子レンジ。
【請求項１２】
前記案内部材は、前記導波管の外側面に設けられることを特徴とする請求項９に記載の電子レンジ。
【請求項１３】
前記アンテナのシャフトの下端部は、前記導波管の外側に位置されることを特徴とする請求項９に記載の電子レンジ。
【請求項１４】
前記導波管の上下部面には、前記アンテナのシャフトが貫通した状態で、直線往復運動が可能なようにそれぞれスロットが設けられることを特徴とする請求項９に記載の電子レンジ。
【請求項１５】
前記モータは、回転を妨害するトルクが発生すると、回転方向が切り換わるシンクロモータであることを特徴とする請求項９に記載の電子レンジ。
【請求項１６】
さらに、前記キャビティの内部に食品が安定的に載置されるように、前記アンテナの上部に設けられる平板を備えることを特徴とする請求項１に記載の電子レンジ。
【請求項１７】
前記平板は、マイクロ波が透過可能な材質で形成されることを特徴とする請求項１６に記載の電子レンジ。
【請求項１８】
前記駆動装置は、前記キャビティの上部に設けられることを特徴とする請求項１に記載の電子レンジ。
【請求項１９】
前記駆動装置は、前記キャビティの下部に設けられることを特徴とする請求項１に記載の電子レンジ。
【請求項２０】
前記駆動装置は、
モータと、
前記アンテナのシャフトに設けられるピニオンと、
前記導波管の外側面に設けられ、前記ピニオンと対応するラックを有する案内部材と、
一端が前記アンテナのシャフトの端部にスイング可能（旋回可能）に連結され、他端が自由端として延長された連結リンクと、
一端が前記連結リンクの他端にスイング可能（旋回可能）に連結され、他端が前記モータのモータシャフトに固定された回転リンクと、を備えることを特徴とする電子レンジ。
【請求項２１】
前記モータは、一方向に回転することを特徴とする請求項２０に記載の電子レンジ。
【請求項２２】
前記案内部材は、前記ピニオンの移動を案内するように、長手方向に中空部が形成され、前記ラックは、前記中空部の一側壁面に設けられることを特徴とする請求項２０に記載の電子レンジ。
【発明の詳細な説明】
【技術分野】
【０００１】
本発明は、電子レンジに関し、更に詳しくは、マグネトロンから発振されるマイクロ波を、食品が調理されるキャビティの内部の全域に均一に伝播させて、調理性能を向上させることができる電子レンジに関する。
【背景技術】
【０００２】
一般に、電子レンジは、電気を用いてマイクロ波を生成し、このマイクロ波を食品に浸透させて、食品の内部での分子移動により熱を発生させることにより、短時間内に食品を加熱する装置である。
【０００３】
以下、従来技術による電子レンジを添付の図面を参照して詳細に説明する。
【０００４】
図１は、従来技術による電子レンジを示す斜視図であり、図２は、従来技術による電子レンジを示す断面図である。
【０００５】
図１と図２に示すように、従来技術による電子レンジは、食品（図示せず）を載置するためのターンテーブル６が設けられたキャビティ４と、このキャビティ４の外部に組み立てられ、電子レンジの運転操作のための制御部２８が設けられたキャビネット２と、このキャビネット２に回動可能に結合され、透視窓８を有するドア１０とから構成される。
【０００６】
ここで、キャビティ４の底部には、ターンテーブル６がローラ１２で支持されて回転可能に結合され、ローラ１２は、回転リング１４に複数が取り付けられており、この回転リング１４は、その中間部がキャビティ４の底部とキャビネット２との間に設けられた駆動モータ１６の回転軸１７に結合されている。
【０００７】
また、キャビネット２には、マイクロ波を発振するマグネトロン２０と、このマグネトロン２０で発生した熱を放熱するための放熱ファン（図示せず）と、モータ（図示せず）とが内蔵されており、マグネトロン２０とキャビティ４との間には、マイクロ波の進行通路である導波管２４が形成されている。
【０００８】
このように構成された従来の電子レンジは、使用者が、調理しようとする食品を、ターンテーブル６の上に置いた後、ドア１０を閉め、制御部２８を操作することで調理を始める。
【０００９】
すると、マグネトロン２０から発振されたマイクロ波が、導波管２４を通じてキャビティ４の内部に流入し、この流入したマイクロ波は、食品に伝播して食品を加熱調理するようになる。
【００１０】
この際、駆動モータ１６の駆動によって、回転リング１４とローラ１２は、ターンテーブル６の下側で回転し、ターンテーブル６と食品は、ローラ１２によって共に回転することにより、ターンテーブル６の上に載置された食品が加熱される。
【発明の開示】
【発明が解決しようとする課題】
【００１１】
しかしながら、このような従来の電子レンジでは、ターンテーブル６が駆動モータ１６の回転軸１７のみを中心として回転するため、食品も常時一定の回転軌跡をなしながら回転する。
【００１２】
したがって、食品の全体にマイクロ波が均一に伝達されず、食品の加熱偏差により、調理性能が低下するという問題点があった。
【００１３】
また、食品が調理される空間であるキャビティ４の内部に、ターンテーブル６とローラ１２と回転リング１４とが設けられているため、キャビティ４の内部の隅々まで掃除するのが難しいという問題点があった。
【００１４】
特に、食品がターンテーブル６からはずれて、その一部がローラ１２と回転リング１４などに付着した場合、ローラ１２と回転リング１４を掃除するためには、ターンテーブル６を分離しなければならなかった。
【００１５】
また、キャビネット４に入れる食品の大きさと形状は、ターンテーブル６の大きさと形状に制限されるため、ターンテーブル６の回転を考慮してから、食品を入れなければならず不便であった。
【００１６】
本発明は上記の問題点を解決するためのもので、その目的は、マグネトロンから発振されるマイクロ波を、食品が調理されるキャビティの内部の全域に均一に伝播させて、調理性能を向上させ、また、前記キャビティの底面を平らな固定テーブルで構成して、キャビティの内部空間を拡大するとともに、掃除性を向上させることにある。
【課題を解決するための手段】
【００１７】
上記目的を達成するための本発明に係る電子レンジは、食品が調理される空間を形成するキャビティと、キャビティの外側に設けられ、マイクロ波が発振されるマグネトロンと、マグネトロンとキャビティとの間に設けられ、マグネトロンから発振されたマイクロ波を、キャビティの内側に案内する導波管と、キャビティと導波管との間に設けられ、導波管によって案内されるマイクロ波を、キャビティの内部に伝播させるアンテナと、アンテナを回転させると同時に直線往復運動させる駆動装置とを備えることを特徴とする。
【００１８】
駆動装置は、正逆回転が可能なモータと、アンテナのシャフトに連結され、モータの回転力をアンテナのシャフトに伝達するモータシャフトと、モータシャフトに設けられ、モータシャフトが回転することによって回転するピニオンと、導波管上に設けられ、ピニオンに対応するラックを有する案内部材とを備えることが好ましい。
【００１９】
駆動装置は、更に、モータが固定され、案内部材とピニオンとの間に摺動可能に設置され、ピニオンの回転及び直線往復運動を支持する摺動部材を備えることが好ましい。
【００２０】
案内部材及び摺動部材には、案内部材に摺動部材が支持されるとともに、摺動部材を摺動させる案内溝と案内突起が相互対応して設けられることが好ましい。
【００２１】
案内部材は、導波管の外側面に設けられ、アンテナのシャフトの下端部は、導波管の内側に位置され、導波管の上下部面には、アンテナのシャフトとモータシャフトが貫通した状態で、直線往復運動が可能なようにそれぞれスロットが設けられることが好ましい。
【００２２】
モータは、回転を妨害するトルクが発生すると、回転方向が切り換わるシンクロモータであることが好ましい。
【００２３】
一方、駆動装置は、正逆回転が可能なモータと、アンテナのシャフトに連結され、モータの回転力をアンテナのシャフトに伝達するモータシャフトと、アンテナのシャフトに設けられ、アンテナのシャフトが回転することによって回転されるピニオンと、導波管上に設けられ、ピニオンに対応するラックを有する案内部材とを備えることが好ましい。
【００２４】
駆動装置は、更に、モータが固定され、案内部材とピニオンとの間に摺動可能に設置され、ピニオンの回転及び直線往復運動を支持する摺動部材を備えることが好ましい。
【００２５】
案内部材及び摺動部材には、案内部材に摺動部材が支持されると共に、前記摺動部材を摺動させる案内溝と案内突起が相互対応して設けられることが好ましい。
【００２６】
案内部材は、導波管の外側面に設けられ、アンテナのシャフトの下端部は、導波管の内側に位置され、導波管の上下部面には、アンテナのシャフトが貫通した状態で、直線往復運動が可能なようにそれぞれスロットが設けられることが好ましい。
【００２７】
モータは、回転を妨害するトルクが発生すると、回転方向が切り換わるシンクロモータであることが好ましい。
【００２８】
電子レンジは、更に、キャビティの内部に食品が安定的に載置されるように、アンテナの上部に設けられる平板を備えることが好ましい。平板は、マイクロ波が透過可能な材質で形成されてもよい。
【００２９】
各駆動装置は、キャビティの上部または下部に設けられることが好ましい。
【００３０】
更に、駆動装置は、モータと、アンテナのシャフトに設けられるピニオンと、導波管の外側面に設けられ、ピニオンと対応するラックを有する案内部材と、一端がアンテナのシャフトの端部にスイング可能（旋回可能）に連結され、他端が自由端として延長された連結リンクと、一端が連結リンクの他端にスイング可能（旋回可能）に連結され、他端が前記モータのモータシャフトに固定された回転リンクとを備えることが好ましい。
【００３１】
モータは、一方向に回転するように構成され、案内部材は、ピニオンの移動を案内するように、長手方向に中空部が形成され、ラックは、中空部の一側壁面に設けられることが好ましい。
【発明の効果】
【００３２】
本発明によれば、アンテナを回転させると同時に直線往復運動させることにより、マグネトロンから発振されたマイクロ波をキャビティの内部の全域にわたって均一に伝播させることができる。したがって、食品にマイクロ波を均一に浸透させて、調理性能を向上させることができるという利点がある。
【００３３】
また、キャビティの内部に平板を設け、食品が載置されるキャビティの底面を平らにすることができるので、キャビティの内部空間を効率よく広く使用することができるという利点がある。
【００３４】
また、キャビティの底面を平らに構成することができるので、外観がきれいに見えることはもとより、掃除を容易に行うことができるという利点がある。
【発明を実施するための最良の形態】
【００３５】
以下、本発明に係る電子レンジの好適な実施例について、添付の図面に基づいて詳細に説明する。本実施の形態を説明するにあたって、同一の構成については、同一の名称と符号を付けて、その付加的な説明は省略する。
【００３６】
図３は、本発明による電子レンジの第１の実施の形態の内部構造を示す概略構成図であり、図４は、図３の要部を示す正断面図であり、図５は、図３の要部を示す側断面図であり、図６は、図３の要部を示す分解斜視図である。
【００３７】
図３乃至図６を参照すると、本発明の第１の実施の形態による電子レンジは、キャビティ１２０と、マグネトロン１１０と、導波管１３０と、アンテナ１４０と、平板１５０と、駆動装置２００とから構成されている。
【００３８】
キャビティ１２０は、食品が調理される空間を形成する。
【００３９】
マグネトロン１１０は、キャビティ１２０の外側に設けられ、食品を調理するためのマイクロ波を発振する。
【００４０】
導波管１３０は、マグネトロン１１０とキャビティ１２０との間に設けられ、マグネトロン１１０から発振されたマイクロ波をキャビティ１２０の内側に案内する。
【００４１】
アンテナ１４０は、キャビティ１２０と導波管１３０との間に設けられ、導波管１３０によって案内されたマイクロ波をキャビティ１２０の内部に伝播させる。
【００４２】
平板１５０は、キャビティ１２０の内部に食品が安定的に載置されるように、アンテナ１４０の上部に設けられる。平板１５０は、アンテナ１４０によって、キャビティ１２０の内部に供給されるマイクロ波が透過可能な材質で形成される。
【００４３】
駆動装置２００は、アンテナ１４０を回転させると同時に直線往復運動させ、モータ２１０と、モータシャフト２２０と、ピニオン２３０と、ラック２４１とを有する案内部材２４０と、摺動部材２５０とから構成されている。
【００４４】
モータ２１０は、正逆回転可能であり、一方向に回転しているうちに、回転を妨害するトルクを受けると、回転方向が切り換わるシンクロモータである。
【００４５】
モータシャフト２２０は、アンテナ１４０のシャフト１４１と連結され、モータ２１０の回転力を、アンテナ１４０のシャフト１４１に伝達する。
【００４６】
ピニオン２３０は、モータシャフト２２０に固定され、モータシャフト２２０が回転することにより回転する。
【００４７】
案内部材２４０は、導波管１３０の下部面の外側に締め付けられて設置され、ピニオン２３０と対応するラック２４１が形成される。案内部材２４０は、２つの部品で構成され、ピニオン２３０の回転運度及び直線往復運動を案内するようにしてもよく、１つの部品で構成され、ピニオン２３０の回転運度及び直線往復運動を案内するようにしてもよい。
【００４８】
摺動部材２５０は、案内部材２４０とピニオン２３０との間に摺動可能に設置され、摺動部材２５０には、モータ２１０が固定される。この際、モータシャフト２２０は、摺動部材２５０を貫通して、アンテナ１４０のシャフト１４１に連結される。
【００４９】
案内部材２４０と摺動部材２５０には、案内部材２４０に摺動部材２５０が支持されるとともに、摺動部材２５０が摺動するようにする案内溝２４２と案内突起２５２が相互対応して設けられている。
【００５０】
一方、アンテナ１４０のシャフト１４１の上端部には、キャビティ１２０の内部にマイクロ波が均一に伝播されるように、略円形状の伝播部１４２が設けられている。アンテナ１４０のシャフト１４１の下端部は、導波管１３０の内側に位置され、ピニオン２３０が固定されたモータシャフト２２０の端部に連結される。
【００５１】
この際、アンテナ１４０のシャフト1４１及びモータシャフト２２０が、直線往復運動が可能なように、導波管１３０の上下部面には、それぞれスロット１３１、１３２が設けられ、キャビティ１２０の下部面にも、スロット１２１が設けられている。
【００５２】
また、案内部材２４０の長手方向の両端には、摺動部材２５０が直線往復運動の際に離脱することを防止するためのエンドカバー２４５が設けられている。
【００５３】
図示してはいないが、このように構成された駆動装置２００は、キャビティ１２０の上部に設けられてもよい。
【００５４】
以下、このように構成された本発明の第１の実施の形態による電子レンジの作用について説明する。
【００５５】
先ず、平板１５０の上に食品を置いて、電子レンジを作動させると、マグネトロン１１０でマイクロ波が発振され、発振されたマイクロ波は、導波管１３０に沿って移動して、アンテナ１４０を介してキャビティ１２０の内部空間に伝播される。
【００５６】
この際、駆動装置２００のモータ２１０が回転することにより、モータ２１０に連動されたアンテナ１４０が回転運動と同時に直線往復運動をしながら、キャビティ１２０の内部にマイクロ波を均一に伝播させる。
【００５７】
したがって、上述したようにキャビティ１２０の内部に均一に伝播されたマイクロ波は、食品の全体に均一に浸透して均一に加熱調理されるようになる。
【００５８】
次に、図７と図８を参照して、本発明の第２の実施の形態について説明する。
【００５９】
図７は、本発明による電子レンジの第２の実施の形態を示す正断面図であり、図８は、図７の要部を示す側断面図である。
【００６０】
本発明の第２の実施の形態による電子レンジは、第１の実施の形態におけるピニオン２３０を、アンテナ１４０のシャフト１４１の外面に設け、アンテナ１４０のシャフトの下端部を、モータ２１０のモータシャフト２２０に連結したものである。すなわち、図７と図８に示すように、アンテナ１４０のシャフト１４１の外面にピニオン２３０を固定させ、アンテナ１４０のシャフト１４１の下端部を導波管１３０の下部面の外側に突出させて、モータシャフト２２０と直接連結したものである。この際、アンテナ１４０のシャフト１４１が直線往復運動が可能なように、導波管１３０の上下部面には、それぞれスロット１３１、１３２が設けられ、キャビティ１２０の下部面にもスロット１２１が設けられる。
【００６１】
その他、第２の実施の形態による電子レンジは、上述した第１の実施の形態の電子レンジと、構成及び作用が同一であるので、これについての詳細な説明は省略する。
【００６２】
次に、図９と図１０を参照して、本発明の３の実施の形態について説明する。
【００６３】
図９は、本発明による電子レンジの第３の実施の形態を示す正断面図であり、図１０は、図９のＩ−Ｉ線による断面図である。
【００６４】
本発明の第３実施の形態による電子レンジは、第１の実施の形態と同様に、キャビティ１２０と、マグネトロン１１０と、導波管１３０と、アンテナ１４０と、平板１５０とから構成されている。
【００６５】
但し、本発明の第３の実施の形態による電子レンジは、アンテナ１４０を回転運動及び直線往復運動させる駆動装置が異なって構成される。すなわち、本発明の第３の実施の形態における駆動装置は、図９と図１０に示すように、モータ４１０と、モータシャフト４２０と、ピニオン４３０と、ハウジング４４０と、案内部材４５０と、連結リンク４６０と、回転リンク４７０とから構成される。
【００６６】
モータ４１０は、一方向に回転され、回転力を伝達するモータシャフト４２０が設けられている。
【００６７】
ピニオン４３０は、アンテナ１４０のシャフト１４１の外面に設けられる。
【００６８】
ハウジング４４０は、上部面が開口しており、導波管１３０の下部面の外側に突出したアンテナ１４０のシャフト１４１の下端部が収容されている。
【００６９】
案内部材４５０は、ハウジング４４０の内部に固定され、ピニオン４３０と対応するラック４５１の長手方向に設けられている。
【００７０】
連結リンク４６０の一端が、アンテナ１４０のシャフト１４１の下端部にスイング可能（旋回可能）に連結され、その他端が自由端として延長されている。
【００７１】
回転リンク４７０は、その一端が、連結リンク４６０の他端にスイング可能（旋回可能）に連結され、その他端がモータ４１０のモータシャフト４２０に連結される。
【００７２】
キャビティ１２０の下部面及び導波管１３０の上下部面には、アンテナ１４０のシャフト１４１が貫通された状態で、直線往復運動が可能であるようにスロット１２１、１３１、１３２がそれぞれ形成されている。
【００７３】
一方、ピニオン４３０は、アンテナ１４０のシャフト１４１と別途に設けられ、シャフト１４１の外面に固定されてもよいが、本発明の第３の実施の形態では、アンテナ１４０のシャフト１４１と一体に形成されたものであり、案内部材４５０のラック４５１と噛み合い、回転しながら直線往復運動することによりアンテナ１４０のシャフト１４１を同時に回転及び直線往復運動させる。
【００７４】
案内部材４５０には、アンテナ１４０のシャフト１４１の直線往復運動を案内するように、長手方向に中空部が形成されている。中空部の一側の壁面には、ラック４５１が設けられ、ラック４５１にピニオン４３０が噛み合うように設置される。
【００７５】
連結リンク４６０の一端は、アンテナ１４０のシャフト１４１の下端部にスイング可能（旋回可能）に結合され、その他端は、ハウジング４４０の側面に形成された開口部４４１からモータ４１０側に延長されている。
【００７６】
回転リンク４７０の一端は、連結リンク４６０の他端にスイング可能（旋回可能）に軸結合され、その他端は、モータ４１０のモータシャフト４２０に固定される。
【００７７】
ここで、回転リンク４７０の長さは、連結リンク４６０の長さよりも短く形成されており、これは、回転リンク４７０の回転時、連結リンク４６０の直線往復運動が円滑に行われるようにするためである。
【００７８】
このように構成された本発明の第３の実施の形態による電子レンジの作用について説明する。
【００７９】
先ず、平板１５０上に食品を置いて、電子レンジを作動させると、マグネトロン１１０からマイクロ波が発振され、発振されたマイクロ波は、導波管１３０に沿って移動して、アンテナ１４０を介してキャビティ１２０の内部空間に伝播される。
【００８０】
この際、駆動装置のモータ４１０が回転することにより、モータシャフト４２０に連結された回転リンク４７０が、一定の軌跡をなしながら回転するとともに、連結リンク４６０が左右に直線往復運動しながら、アンテナ１４０のシャフト１４１を直線往復運動させる。
【００８１】
これと同時に、案内部材４５０のラック４５１に噛み合ってピニオン４３０が回転しながら、アンテナ１４０のシャフト１４１を回転させるようになる。
【００８２】
結局、アンテナ１４０は、回転すると同時に直線往復運動をしながら、キャビティ１２０の内部にマイクロ波を均一に伝播させるようになる。
【００８３】
以上、いくつかの実施の形態を説明しているが、本発明の趣旨と範疇内で、様々な形態に具体化できるということは、当該技術において通常の技術を有する者にとっては自明なことである。したがって、上述した実施の形態は制限的なものではなく、例示的なものであり、特許請求の範囲及びその同等範囲内の全ての実施の形態は、本発明の範疇内に包含される。
【図面の簡単な説明】
【００８４】
【図１】従来の技術による電子レンジを示す斜視図である。
【図２】従来の技術による電子レンジを示す断面図である。
【図３】本発明による電子レンジの第１の実施の形態を示す構成図である。
【図４】図３の要部を示す正断面図である。
【図５】図３の要部を示す側断面図である。
【図６】図３の要部を示す分解斜視図である。
【図７】本発明による電子レンジの第２の実施の形態を示す正断面図である。
【図８】図７の要部を示す側断面図である。
【図９】本発明による電子レンジの第３の実施の形態を示す正断面図である。
【図１０】図９のＩ−Ｉ線による断面図である。
【符号の説明】
【００８５】
１１０    マグネトロン
１２０    キャビティ
１３０    導波管
１４０    アンテナ
１５０    平板
２００    駆動装置
【図１】
2006278313.tif 000003
【図２】
2006278313.tif 000004
【図３】
2006278313.tif 000005
【図４】
2006278313.tif 000006
【図５】
2006278313.tif 000007
【図６】
2006278313.tif 000008
【図７】
2006278313.tif 000009
【図８】
2006278313.tif 000010
【図９】
2006278313.tif 000011
【図１０】
2006278313.tif 000012